(57)【要約】  本出願は、送信端と受信端との間でビーム情報を送信するオーバーヘッドを低減するために、ビーム情報を指示および決定するための方法および装置、ならびに通信システムを開示する。本出願に係るビーム情報を指示するための方法は、送信端は、受信端との送信に使用される必要がある第１の送信ビームを決定するステップと、前記送信端は、ビームペアリンク（ＢＰＬ）識別子と送信ビームとの間の第１のマッピング関係に基づいて、前記第１の送信ビームに対応する第１のＢＰＬ識別子を決定するステップと、前記送信端は、前記第１のＢＰＬ識別子を前記受信端に送信し、前記送信端は、前記第１の送信ビームを使用して前記受信端に信号を送信するステップとを備え、前記受信端にＢＰＬ識別子と受信ビームとの間の第２のマッピング関係がある。
2020529802.tif 000002
【特許請求の範囲】
【請求項１】
送信端は、受信端との送信に使用される必要がある第１の送信ビームを決定するステップと、
前記送信端は、ビームペアリンク（ＢＰＬ）識別子と送信ビームとの間の第１のマッピング関係に基づいて、前記第１の送信ビームに対応する第１のＢＰＬ識別子を決定するステップと、
前記送信端は、前記第１のＢＰＬ識別子を前記受信端に送信するステップと、
前記送信端は、前記第１の送信ビームを使用して前記受信端に信号を送信するステップと
を備え、
前記受信端にＢＰＬ識別子と受信ビームとの間の第２のマッピング関係があることを特徴とするビーム情報を指示するための方法。
【請求項２】
前記第１のマッピング関係は、ＢＰＬ識別子、チャネル状態情報-参考信号リソースインジケータ（ＣＲＩ）および送信ビーム間のマッピング関係を含み、
前記第２のマッピング関係は、ＢＰＬ識別子、ＣＲＩおよび受信ビーム間のマッピング関係を含むことを特徴とする請求項１に記載のビーム情報を指示するための方法。
【請求項３】
前記送信端は、
前記送信端が、前記受信端に対して参考信号リソースを設定し、
前記送信端が、前記参考信号リソースにおいて、前記受信による測定および報告のために、前記受信端に参考信号を送信し、
前記送信端が、前記受信端の測定報告端の測定結果に基づいて前記第１のマッピング関係を決定する
ことによって前記第１のマッピング関係を決定することを特徴とする請求項２に記載のビーム情報を指示するための方法。
【請求項４】
前記送信端は、ＢＰＬ識別子とＣＲＩとの間のマッピング関係を前記受信端に送信することを特徴とする請求項２に記載のビーム情報を指示するための方法。
【請求項５】
受信端は、送信端によって指示された第１のビームペアリンク（ＢＰＬ）識別子を受信するステップと、
前記受信端は、ＢＰＬ識別子と受信ビームとの間の第２のマッピング関係に基づいて、前記第１のＢＰＬ識別子に対応する第１の受信ビームを決定するステップと、
前記受信端は、前記第１の受信ビームを使用して前記送信端によって送信された信号を受信するステップと
を備え、
前記送信端にＢＰＬ識別子と送信ビームとの間の第１のマッピング関係があることを特徴とするビーム情報を決定するための方法。
【請求項６】
前記第１のマッピング関係は、ＢＰＬ識別子、チャネル状態情報-参考信号リソースインジケータ（ＣＲＩ）および送信ビーム間のマッピング関係を含み、
前記第２のマッピング関係は、ＢＰＬ識別子、ＣＲＩおよび受信ビーム間のマッピング関係を含む
ことを特徴とする請求項５に記載のビーム情報を決定するための方法。
【請求項７】
前記受信端は、前記送信端によって送信されたＢＰＬ識別子とＣＲＩとの間のマッピング関係を受信することを特徴とする請求項６に記載のビーム情報を決定するための方法。
【請求項８】
前記受信端は、
前記受信端が、前記送信端によって送信された参考信号リソース設定情報を受信し、
前記受信端が、前記参考信号リソースにおいて前記送信端によって送信された参考信号を受信し、各参考信号リソースに対応する受信ビームを決定し、ＣＲＩと受信ビームとの間のマッピング関係を決定し、
前記受信端が、前記ＣＲＩと受信ビームとの間のマッピング関係および前記ＢＰＬ識別子とＣＲＩとの間のマッピング関係に基づいて、前記第２のマッピング関係を決定する
ことによって前記第２のマッピング関係を決定することを特徴とする請求項７に記載のビーム情報を決定するための方法。
【請求項９】
受信端との送信に使用される必要がある第１の送信ビームを決定するように構成された第１のユニットと、
ビームペアリンク（ＢＰＬ）識別子と送信ビームとの間の第１のマッピング関係に従って、前記第１の送信ビームに対応するＢＰＬ識別子を決定するように構成された第２のユニットと、
前記第１のＢＰＬ識別子を前記受信端に送信するように構成された第３のユニットと、
前記第１の送信ビームを使用して前記受信端に信号を送信するように構成された第４のユニットと
を備え、
前記受信端にＢＰＬ識別子と受信ビームとの間の第２のマッピング関係があることを特徴とするビーム情報を指示するための装置。
【請求項１０】
前記第１のマッピング関係は、ＢＰＬ識別子、チャネル状態情報-参考信号リソースインジケータ（ＣＲＩ）および送信ビーム間のマッピング関係を含み、
前記第２のマッピング関係は、ＢＰＬ識別子、ＣＲＩおよび受信ビーム間のマッピング関係を含む
ことを特徴とする請求項９に記載のビーム情報を指示するための装置。
【請求項１１】
前記第２のユニットは、
前記受信端に対して参考信号リソースを設定し、
前記参考信号リソースにおいて、前記受信による測定および報告のために、前記受信端に参考信号を送信し、
前記受信端の測定報告端の測定結果に基づいて前記第１のマッピング関係を決定する
ことによって前記第１のマッピング関係を決定することを特徴とする請求項１０に記載のビーム情報を指示するための装置。
【請求項１２】
前記第３のユニットはさらに、
ＢＰＬ識別子とＣＲＩとの間のマッピング関係を前記受信端に送信することを特徴とする請求項９に記載のビーム情報を指示するための装置。
【請求項１３】
送信端によって指示された第１のビームペアリンク（ＢＰＬ）識別子を受信するように構成された第５のユニットと、
ＢＰＬ識別子と受信ビームとの間の第２のマッピング関係に基づいて、前記第１のＢＰＬ識別子に対応する第１の受信ビームを決定するように構成された第６のユニットと、
前記第１の受信ビームを使用して前記送信端によって送信された信号を受信するように構成された第７のユニットと
を備え、
前記送信端にＢＰＬ識別子と送信ビームとの間の第１のマッピング関係があることを特徴とするビーム情報を決定するための装置。
【請求項１４】
前記第１のマッピング関係は、ＢＰＬ識別子、チャネル状態情報-参考信号リソースインジケータ（ＣＲＩ）および送信ビーム間のマッピング関係を含み、
前記第２のマッピング関係は、ＢＰＬ識別子、ＣＲＩおよび受信ビーム間のマッピング関係を含む
ことを特徴とする請求項１３に記載のビーム情報を決定するための装置。
【請求項１５】
前記第６のユニットはさらに、
前記送信端によって送信されたＢＰＬ識別子とＣＲＩとの間のマッピング関係を受信することを特徴とする請求項１４に記載のビーム情報を決定するための装置。
【請求項１６】
前記第６のユニットは、
前記送信端によって送信された参考信号リソース設定情報を受信し、
前記参考信号リソースにおいて前記送信端によって送信された参考信号を受信し、各参考信号リソースに対応する受信ビームを決定し、ＣＲＩと受信ビームとの間のマッピング関係を決定し、
前記ＣＲＩと受信ビームとの間のマッピング関係および前記ＢＰＬ識別子とＣＲＩとの間のマッピング関係に基づいて、前記第２のマッピング関係を決定する
ことによって前記第２のマッピング関係を決定することを特徴とする請求項１５に記載のビーム情報を決定するための装置。
【請求項１７】
請求項９から請求項１２のいずれか一項に記載の装置および／または請求項１３から請求項１６のいずれか一項に記載の装置を含む通信システム。
【請求項１８】
プログラム命令を保存するように構成されたメモリと、
前記メモリに保存されたプログラム命令を呼び出し、取得したプログラムに従って次のプロセスを実行するプロセッサと
を備え、
前記プロセッサは、受信端との送信に使用される必要がある第１の送信ビームを決定し、ビームペアリンク（ＢＰＬ）識別子と送信ビームとの間の第１のマッピング関係に従って、前記第１の送信ビームに対応する第１のＢＰＬ識別子を決定し、前記受信端にＢＰＬ識別子と受信ビームとの間の第２のマッピング関係があり、前記第１のＢＰＬ識別子を前記受信端に送信し、前記第１の送信ビームを使用して前記受信端に信号を送信することを特徴とするビーム情報を指示するための装置。
【請求項１９】
前記第１のマッピング関係は、ＢＰＬ識別子、チャネル状態情報-参考信号リソースインジケータ（ＣＲＩ）および送信ビーム間のマッピング関係を含み、
前記第２のマッピング関係は、ＢＰＬ識別子、ＣＲＩおよび受信ビーム間のマッピング関係を含む
ことを特徴とする請求項１８に記載のビーム情報を指示するための装置。
【請求項２０】
前記プロセッサはさらに、
前記受信端に対して参考信号リソースを設定し、
前記参考信号リソースにおいて、前記受信による測定および報告のために、前記受信端に参考信号を送信し、
前記受信端の測定報告端の測定結果に基づいて前記第１のマッピング関係を決定する
ことによって前記第１のマッピング関係を決定することを特徴とする請求項１９に記載のビーム情報を指示するための装置。
【請求項２１】
前記プロセッサはさらに、
ＢＰＬ識別子とＣＲＩとの間のマッピング関係を前記受信端に送信することを特徴とする請求項１９に記載のビーム情報を指示するための装置。
【請求項２２】
プログラム命令を保存するように構成されたメモリと、
前記メモリに保存されたプログラム命令を呼び出し、取得したプログラムに従って次のプロセスを実行するプロセッサと
を備え、
前記プロセッサは、送信端によって指示された第１のビームペアリンク（ＢＰＬ）識別子を受信し、ＢＰＬ識別子と受信ビームとの間の第２のマッピング関係に基づいて、前記第１のＢＰＬ識別子に対応する第１の受信ビームを決定し、前記送信端にＢＰＬ識別子と送信ビームとの間の第１のマッピング関係があり、前記第１の受信ビームを使用して前記送信端によって送信された信号を受信することを特徴とするビーム情報を決定するための装置。
【請求項２３】
前記第１のマッピング関係は、ＢＰＬ識別子、チャネル状態情報-参考信号リソースインジケータ（ＣＲＩ）および送信ビーム間のマッピング関係を含み、
前記第２のマッピング関係は、ＢＰＬ識別子、ＣＲＩおよび受信ビーム間のマッピング関係を含む
ことを特徴とする請求項２２に記載のビーム情報を決定するための装置。
【請求項２４】
前記プロセッサはさらに、
前記送信端によって送信されたＢＰＬ識別子とＣＲＩとの間のマッピング関係を受信することを特徴とする請求項２３に記載のビーム情報を決定するための装置。
【請求項２５】
前記プロセッサはさらに、
前記送信端によって送信された参考信号リソース設定情報を受信し、
前記参考信号リソースにおいて前記送信端によって送信された参考信号を受信し、各参考信号リソースに対応する受信ビームを決定し、ＣＲＩと受信ビームとの間のマッピング関係を決定し、
前記ＣＲＩと受信ビームとの間のマッピング関係および前記ＢＰＬ識別子とＣＲＩとの間のマッピング関係に基づいて、前記第２のマッピング関係を決定する
ことによって前記第２のマッピング関係を決定することを特徴とする請求項２４に記載のビーム情報を決定するための装置。
【請求項２６】
請求項１から４のいずれか一項に記載の方法または請求項５から８のいずれか一項に記載の方法をコンピュータに実行させるコンピュータ実行可能命令を格納する、コンピュータ可読記憶媒体。
【発明の詳細な説明】
【技術分野】
【０００１】
本発明は、通信技術分野に関し、特にビーム情報を指示および決定するための方法および装置、ならびに通信システムに関する。
【０００２】
［関連出願の相互参照］
本出願は、２０１７年８月１１日に中国特許局に提出し、出願番号が２０１７１０６８６１５２.５であり、発明名称が「ビーム情報を指示および決定するための方法および装置、ならびに通信システム」との中国特許出願を基礎とする優先権を主張し、その開示の総てをここに取り込む。
【背景技術】
【０００３】
現在、多入力多出力（ＭＩＭＯ）技術をさらに改善するために、大規模アンテナ技術が移動通信システムに導入されている。基地局の場合、大規模アンテナアレイには最大５１２個または１０２４個のアンテナ素子が搭載されている場合がある。フルデジタルアンテナを使用する場合、各アンテナ素子は１つの送受信ユニット（ＴＸＲＵ）に接続され、現時点で最大５１２または１０２４のＴＸＲＵが存在する場合がある。端末では、最大３２/６４のアンテナ素子を備えたアンテナアレイも構成できる。基地局側と端末側でビームフォーミングを行うことにより、ビーム損失によって生じる信号の減衰を補うために、巨大なビームフォーミングゲインを得ることができる。特に、高周波通信の経路損失（たとえば３０ＧＨｚの周波数ポイント）は、低周波通信の経路損失よりも深刻であるため、無線信号のカバーエリアは非常に制限される。大規模アンテナのビームフォーミング技術により、無線信号のカバーエリアを実用範囲に拡大できる。
【０００４】
アナログビームフォーミング性能をさらに改善するために、デジタルビームフォーミングの柔軟性とアナログビームフォーミングの低い複雑さの間のバランスを取ったデジタルアナログハイブリッドビームフォーミングの送受信スキームもある。複数のデータストリームと複数のユーザーの同時フォーミングをサポートする能力を有する。同時に、複雑さも合理的な範囲内で制御される。
【発明の概要】
【発明が解決しようとする課題】
【０００５】
送信端は、受信端が最適の受信効果を達成するために受信ビームを調整できるように、ビーム情報を指示する。ただし、大規模アンテナアレイを使用するシステムでは、ビーム数が２５６、１０２４以上に達することがあり、ビーム情報の示すには一度に８ビット、１０ビット、またはそれ以上が必要である。したがって、ビーム情報の指示プロセスは高価で非効率的である。
【０００６】
本出願の実施形態は、送信端と受信端との間でビーム情報を送信するオーバーヘッドを低減するために、ビーム情報を指示および決定するための方法および装置、ならびに通信システムを提供する。
【課題を解決するための手段】
【０００７】
第１の態様では、本出願の実施形態に係るビーム情報を指示するための方法は、
送信端は、受信端との送信に使用される必要がある第１の送信ビームを決定するステップと、
前記送信端は、ビームペアリンク（ＢＰＬ, ｂｅａｍ ｐａｉｒ ｌｉｎｋ）識別子と送信ビームとの間の第１のマッピング関係に基づいて、前記第１の送信ビームに対応する第１のＢＰＬ識別子を決定するステップと、
前記送信端は、前記第１のＢＰＬ識別子を前記受信端に送信するステップと、
前記送信端は、前記第１の送信ビームを使用して前記受信端に信号を送信するステップとを備え、
前記受信端にＢＰＬ識別子と受信ビームとの間の第２のマッピング関係がある。
【０００８】
本出願の実施形態によって提供される上記ビーム情報を指示するための方法では、送信端でＢＰＬ識別子と送信ビームとの間の第１のマッピング関係を確立し、それに応じて受信端でＢＰＬ識別子と受信ビームとの間の第２のマッピング関係を確立することにより、ビーム情報の指示の場合、ＢＰＬ識別子の指示のみを必要とし、受信端はＢＰＬ識別子のみに従って対応する受信ビームを決定できるため、ビーム情報の指示プロセス中のシステムオーバーヘッドを削減できる。
【０００９】
任意選択で、本出願の実施形態によって提供される上記ビーム情報を指示するための方法では、前記第１のマッピング関係は、ＢＰＬ識別子、チャネル状態情報-参考信号リソースインジケータ（ＣＲＩ， ｃｈａｎｎｅｌ ｓｔａｔｅ ｉｎｆｏｒｍａｔｉｏｎ−ｒｅｆｅｒｅｎｃｅ ｓｉｇｎａｌ ｒｅｓｏｕｒｃｅ ｉｎｄｉｃａｔｏｒ）および送信ビーム間のマッピング関係を含み、
前記第２のマッピング関係は、ＢＰＬ識別子、ＣＲＩおよび受信ビーム間のマッピング関係を含む。
【００１０】
任意選択で、本出願の実施形態によって提供される上記ビーム情報を指示するための方法，前記送信端は以下の方式によって前記第１のマッピング関係を決定する：
前記送信端は、前記受信端に対して参考信号リソースを設定し、
前記送信端は、前記参考信号リソースにおいて、前記受信による測定および報告のために、前記受信端に参考信号を送信し、
前記送信端は、前記受信端の測定報告端の測定結果に基づいて前記第１のマッピング関係を決定する。
【００１１】
任意選択で、本出願の実施形態によって提供される上記ビーム情報を指示するための方法では、さらに、
前記送信端は、ＢＰＬ識別子とＣＲＩとの間のマッピング関係を前記受信端に送信する。
【００１２】
第２の態様では、本出願の実施形態に係るビーム情報を決定するための方法は、
受信端は、送信端によって指示された第１のビームペアリンク（ＢＰＬ）識別子を受信するステップと、
前記受信端は、ＢＰＬ識別子と受信ビームとの間の第２のマッピング関係に基づいて、前記第１のＢＰＬ識別子に対応する第１の受信ビームを決定するステップと、
前記受信端は、前記第１の受信ビームを使用して前記送信端によって送信された信号を受信するステップとを備え、
前記送信端にＢＰＬ識別子と送信ビームとの間の第１のマッピング関係がある。
【００１３】
任意選択で、本出願の実施形態によって提供される上記ビーム情報を決定するための方法，前記第１のマッピング関係は、ＢＰＬ識別子、チャネル状態情報-参考信号リソースインジケータ（ＣＲＩ）および送信ビーム間のマッピング関係を含み、
前記第２のマッピング関係は、ＢＰＬ識別子、ＣＲＩおよび受信ビーム間のマッピング関係を含む。
【００１４】
任意選択で、本出願の実施形態によって提供される上記ビーム情報を決定するための方法では、前記受信端は、前記送信端によって送信されたＢＰＬ識別子とＣＲＩとの間のマッピング関係を受信する。
【００１５】
任意選択で、本出願の実施形態によって提供される上記ビーム情報を決定するための方法，前記受信端は、以下の方式によって前記第２のマッピング関係を決定する：
前記受信端は、前記送信端によって送信された参考信号リソース設定情報を受信し、
前記受信端は、前記参考信号リソースにおいて前記送信端によって送信された参考信号を受信し、各参考信号リソースに対応する受信ビームを決定し、ＣＲＩと受信ビームとの間のマッピング関係を決定し、
前記受信端は、前記ＣＲＩと受信ビームとの間のマッピング関係および前記ＢＰＬ識別子とＣＲＩとの間のマッピング関係に基づいて、前記第２のマッピング関係を決定する。
【００１６】
第３の態様では、本出願の実施形態に係るビーム情報を指示するための装置は、
受信端との送信に使用される必要がある第１の送信ビームを決定するように構成された第１のユニットと、
ビームペアリンク（ＢＰＬ）識別子と送信ビームとの間の第１のマッピング関係に従って、前記第１の送信ビームに対応するＢＰＬ識別子を決定するように構成された第２のユニットと、
前記第１のＢＰＬ識別子を前記受信端に送信するように構成された第３のユニットと、
第１の前記送信ビームを使用して前記受信端に信号を送信するように構成された第４のユニットとを備え、
前記受信端にＢＰＬ識別子と受信ビームとの間の第２のマッピング関係がある。
【００１７】
任意選択で、本出願の実施形態によって提供される上記装置，前記第１のマッピング関係は、ＢＰＬ識別子、チャネル状態情報-参考信号リソースインジケータ（ＣＲＩ）および送信ビーム間のマッピング関係を含み、
前記第２のマッピング関係は、ＢＰＬ識別子、ＣＲＩおよび受信ビーム間のマッピング関係を含む。
【００１８】
任意選択で、本出願の実施形態によって提供される上記装置では、前記第２のユニットは、以下の方式によって前記第１のマッピング関係を決定する：
前記受信端に対して参考信号リソースを設定し、
前記参考信号リソースにおいて、前記受信による測定および報告のために、前記受信端に参考信号を送信し、
前記受信端の測定報告端の測定結果に基づいて前記第１のマッピング関係を決定する。
【００１９】
任意選択で、本出願の実施形態によって提供される上記装置，前記第３のユニットはさらに、
ＢＰＬ識別子とＣＲＩとの間のマッピング関係を前記受信端に送信する。
【００２０】
第４の態様では、本出願の実施形態に係るビーム情報を決定するための装置では、
送信端によって指示された第１のビームペアリンク（ＢＰＬ）識別子を受信するように構成された第５のユニットと、
ＢＰＬ識別子と受信ビームとの間の第２のマッピング関係に基づいて、前記第１のＢＰＬ識別子に対応する第１の受信ビームを決定するように構成された第６のユニットと、
前記第１の受信ビームを使用して前記送信端によって送信された信号を受信するように構成された第７のユニットとを備え、
前記送信端にＢＰＬ識別子と送信ビームとの間の第１のマッピング関係がある。
【００２１】
任意選択で、本出願の実施形態によって提供される上記装置，前記第１のマッピング関係は、ＢＰＬ識別子、チャネル状態情報-参考信号リソースインジケータ（ＣＲＩ）および送信ビーム間のマッピング関係を含み、
前記第２のマッピング関係は、ＢＰＬ識別子、ＣＲＩおよび受信ビーム間のマッピング関係を含む。
【００２２】
任意選択で、本出願の実施形態によって提供される上記装置，前記第６のユニットはさらに、
前記送信端によって送信されたＢＰＬ識別子とＣＲＩとの間のマッピング関係を受信する。
【００２３】
任意選択で、本出願の実施形態によって提供される上記装置，前記第６のユニットは、以下の方式によって前記第２のマッピング関係を決定する：
前記送信端によって送信された参考信号リソース設定情報を受信し、
前記参考信号リソースにおいて前記送信端によって送信された参考信号を受信し、各参考信号リソースに対応する受信ビームを決定し、ＣＲＩと受信ビームとの間のマッピング関係を決定し、
前記ＣＲＩと受信ビームとの間のマッピング関係および前記ＢＰＬ識別子とＣＲＩとの間のマッピング関係に基づいて、前記第２のマッピング関係を決定する。
【００２４】
第５の態様では、本出願の実施形態に係る通信システムは、本出願の実施形態によって提供される上記ビーム情報を指示するための装置と、および／または、本出願の実施形態によって提供される上記ビーム情報を決定するための装置を含む。
【００２５】
第６の態様では、本出願の実施形態に係るビーム情報を指示するための装置は、
プログラム命令を保存するように構成されたメモリと、
前記メモリに保存されたプログラム命令を呼び出し、取得したプログラムに従って上記任意のビーム情報を指示するための方法を実行するプロセッサとを備える。
【００２６】
第７の態様では、本出願の実施形態に係るビーム情報を決定するための装置は、
プログラム命令を保存するように構成されたメモリと、
前記メモリに保存されたプログラム命令を呼び出し、取得したプログラムに従って上記任意のビーム情報を決定するための方法を実行するプロセッサとを備える。
【００２７】
第８の態様では、本出願の実施形態は、前記ビーム情報を指示するための任意の方法または前記ビーム情報を決定するための任意の方法をコンピュータに実行させるコンピュータ実行可能命令を格納する、コンピュータ記憶媒体。
【図面の簡単な説明】
【００２８】
【図１】本出願の実施形態に係るビーム情報を処理する（指示および決定することを含む）ための方法の流れ概略図である。
【図２】本出願の実施形態に係るビーム情報を指示するための方法の流れ概略図である。
【図３】本出願の実施形態に係るビーム情報を決定するための方法の流れ概略図である。
【図４】本出願の実施形態に係るビーム情報を指示するための装置の構造概略図である。
【図５】本出願の実施形態に係るビーム情報を決定するための装置の構造概略図である。
【図６】本出願の実施形態に係る別のビーム情報を指示するための装置の構造概略図である。
【図７】本出願の実施形態に係る別のビーム情報を決定するための装置の構造概略図である。
【発明を実施するための形態】
【００２９】
本発明に係る実施例の目的、技術案及びメリットをより明確にするため、以下、本発明に係る実施例の図面を参考しながら、本発明に係る実施例の技術案を明確かつ完全に説明する。説明した実施例は本発明の一部の実施例にすぎず、全部の実施例ではないのが明らかである。本発明の実施例に基づき、当業者は、創造性作業を行わない限りに得られた他の実施例は、全部本発明の保護範囲に属する。
【００３０】
データ送信の前に、受信端が受信ビームを合理的に設定できるようにするために、送信端は、データチャネルまたは制御チャネル（データまたは制御チャネルの復調参考信号（Ｄｅｍｏｄｕｌａｔｉｏｎ Ｒｅｆｅｒｅｎｃｅ Ｓｉｇｎａｌ，ＤＭＲＳ））の送信ビームに関連する情報を受信端に通知する。通知方法の１つは、準コロケーション（Ｑｕａｓｉ−ｃｏ−ｌｏｃａｔｅｄ，ＱＣＬ）の仮定を受信端に伝えることである。つまり、空間パラメータ（空間的到来角の平均値、空間的到来角の広がり、空間的逸脱角の平均値、または空間的逸脱角の広がりなど）に関し、どの参考信号ポートが受信端のデータのＤＭＲＳポートまたは制御チャネルのＤＭＲＳポートとの間にＱＣＬ関係があるかを受信端に示す。２つの信号が１つの空間パラメータに関してＱＣＬである場合、他の信号の空間パラメータは１つの信号の空間パラメータから推測できる（たとえば、２つの信号の空間パラメータは同じである）。送信端が受信端に、どの参考信号ポートが空間パラメータに関して受信端のデータまたは制御チャネルのＤＭＲＳとの間にＱＣＬ関係であるかを通知する場合、受信端はこれらの参考信号ポートに基づいて空間パラメータを推定でき、受信ビームを決定し、およびこれらの受信ビームを使用してデータまたは制御信号を受信する。
【００３１】
本願の実施形態では、チャネル状態情報−参考信号（Ｃｈａｎｎｅｌ Ｓｔａｔｅ Ｉｎｆｏｒｍａｔｉｏｎ−Ｒｅｆｅｒｅｎｃｅ Ｓｉｇｎａｌ，ＣＳＩ−ＲＳ）である参考信号が例として取り上げられ、すなわち、送信端が受信端に、どのＣＳＩリソースで送信された参考信号が空間パラメータに関して受信端のデータまたは制御チャネルのＤＭＲＳとの間にＱＣＬ関係であるかを通知する。たとえば、基地局（送信端）は端末（受信端）に対してＮ個のＣＳＩ−ＲＳリソースを設定し、各ＣＳＩ−ＲＳリソースの信号は１つのビームで送信される。端末はＮ個のＣＳＩ−ＲＳリソースを測定し、最高品質のＱ個のＣＳＩ−ＲＳリソースを選択し、Ｑ個のＣＳＩ−ＲＳリソースの識別子と品質インデックスを基地局にフィードバックする。品質指標は、参考信号受信電力（Ｒｅｆｅｒｅｎｃｅ Ｓｉｇｎａｌ Ｒｅｃｅｉｖｉｎｇ Ｐｏｗｅｒ，ＲＳＲＰ）、または参考信号受信品質（Ｒｅｆｅｒｅｎｃｅ Ｓｉｇｎａｌ Ｒｅｃｅｉｖｉｎｇ Ｑｕａｌｉｔｙ，ＲＳＲＱ）などである。基地局は、端末からフィードバックされた情報を受信し、これにより送信用の送信ビームを決定し、さらに、データまたは制御チャネルのＤＭＲＳ ＱＣＬのＣＳＩ−ＲＳリソースを決定する。基地局は、端末が適切な受信ビームを設定できるように、ＣＳＩ−ＲＳリソースインジケータ（CRI）情報を端末に送信する。
【００３２】
大規模アンテナアレイを使用するシステムでは、ビーム数は２５６、１０２４以上に達する可能性があり、ビーム情報の指示には一度に８ビット、１０ビット、またはそれ以上が必要になるため、本出願の実施形態は、ビーム情報を指示することによって引き起こされるシステムオーバーヘッドを低減するために、ビーム情報を指示するための方法を提供する。
【００３３】
送信端を基地局として、受信端を端末（ＵＥ）として例にとると、図１、示されるように、本出願の実施形態によって提供される、送信端と受信端との間のビーム情報を処理する方法、具体的には次のステップが含まれる。
【００３４】
ステップＳ１０１：基地局は、端末に対してＮ個（Ｎ≧１）の参考信号リソースを設定する。
【００３５】
参考信号リソースは、例えば、直交周波数分割多重化（Ｏｒｔｈｏｇｏｎａｌ Ｆｒｅｑｕｅｎｃｙ Ｄｉｖｉｓｉｏｎ Ｍｕｌｔｉｐｌｅｘｉｎｇ，ＯＦＤＭ）シンボル内のいくつかのリソース要素（Ｒｅｓｏｕｒｃｅ Ｅｌｅｍｅｎｔ，ＲＥ）を含むいくつかの時間周波数リソースを含む。参考信号リソースは、時間領域で繰り返し発生する可能性がある。たとえば、特定の期間に応じて繰り返し発生したり、１つの期間に複数回発生したりする。
【００３６】
ステップＳ１０２：基地局は、端末による測定および報告のために、設定された参考信号リソースで端末に参考信号を送信し、端末は測定結果を基地局に報告する。
【００３７】
基地局側では：
Ｐ（Ｐ≧１）個のアンテナポートの参考信号は、各参考信号リソースにマッピングされ得る。異なる参考信号リソースから送信される参考信号は、異なるダウンリンク送信ビームを使用して送信できる。基地局に合計
【数１】
2020529802.tif 000003
のダウンリンク送信ビームがあると仮定すると、各ダウンリンクビームはビームフォーミング重みのグループ１つに対応し、ｎ番目のビームの送信ビームフォーミング重みは
【数２】
2020529802.tif 000004
であり、ｋはビームフォーミング用のアンテナ要素の数であり、基地局のアンテナ要素の数よりも小さい。たとえば、１つのダウンリンクビームが送受信ユニットに接続されたｋ個のアンテナ素子からのみ送信される場合、ビームフォーミング用のアンテナ素子の数ｋは基地局のアンテナ素子の数よりも少なくなる。
【００３８】
基地局は、対応するダウンリンク参考信号を送信するために、候補ダウンリンク送信ビームごとに参考信号リソースを選択する。たとえば、
【数３】
2020529802.tif 000005
のダウンリンク送信ビームの場合、基地局は
【数４】
2020529802.tif 000006
の参考信号リソースを設定でき、各ビームの参考信号は１つの参考信号リソースにマッピングされてから送信される。
【００３９】
例えば、基地局が２５６個のダウンリンク送信ビームを有する場合、基地局は２５６個の参考信号リソースを設定し、各ビームの参考信号は１つの参考信号リソースにマッピングされてから送信される。各ダウンリンク送信ビームの参考信号は、当該ビームに対応するビームフォーミング重みを使用してビームフォーミングを行った後に参考信号がマッピングされる参考信号リソース上で送信される。
【００４０】
任意選択で、特定の実施中、本願の実施形態によって提供されるビーム情報を示すための上記の方法では、上記のＮ個の参考信号リソースは、定期的または半永続的なリソースであり、すなわち参考信号は、定期的に送信されるか、半連続的に送信される。
【００４１】
端末側で：
端末は、基地局によって送信された参考信号を受信し、各参考信号リソースに対応する受信ビームを決定する。端末の受信ビームは、候補受信ビームから選択されてもよい。端末には合計
【数５】
2020529802.tif 000007
の受信ビームがあり、各受信ビームはビームフォーミング重みのグループ１つに対応し、ｎ番目のビームのビームフォーミング重みは
【数６】
2020529802.tif 000008
である。ここで、Ｌはビームフォーミング用のアンテナ要素の数であり、端末のアンテナの数よりも小さくすることができる。１つのＣＳＩ−ＲＳリソース上の参考信号の場合、端末は各受信ビームを使用して参考信号の受信を試行し、ＣＳＩ−ＲＳリソースの受信ビームとして最も高い受信信号電力を持つ受信ビームを選択することができる。
【００４２】
任意選択で、特定の実施中に、端末は各ＣＳＩ−ＲＳリソースに対応する受信ビームを格納し、もちろん、端末はいくつかのＣＳＩ−ＲＳリソースに対応する受信ビームも格納することができ、これは限定されない。ここで、端末は、ＣＳＩ−ＲＳリソースインジケータ（ＣＳＩ−ＲＳ Ｒｅｓｏｕｒｃｅ Ｉｎｄｉｃａｔｏｒ，ＣＲＩ）と受信ビームとの間のマッピング関係を保存してもよい。
【００４３】
任意選択で、特定の実施中に、本願の実施形態によって提供されるビーム情報を指示ための上述の方法において、基地局は、リソース集合の方式で端末のＣＳＩ−ＲＳリソースを設定することもできる。たとえば、基地局は端末のS個のＣＳＩ−ＲＳリソース集合を設定する。s番目のリソース集合には、Ｎs個のＣＳＩ−ＲＳリソースが含まれる。このように、ＣＳＩ−ＲＳリソースを識別するための複数の方法がある。これらの方法は、以下の例で説明する。
【００４４】
方式Ｉ：
リソース集合インデックス＋ＣＳＩ−ＲＳリソースインデックス：ここでのＣＳＩ−ＲＳリソースインデックスは、集合内のＣＳＩ−ＲＳリソースのインデックスを指す。また、各ＣＳＩ−ＲＳリソースは、リソース集合インデックス（Ｒｅｓｏｕｒｃｅ Ｓｅｔｔｉｎｇ Ｉｎｄｅｘ，ＲＳＩ）とＣＳＩ−ＲＳリソースインデックス（つまり、ＣＲＩ）という２つのインデックスによって唯一に決定される。
【００４５】
方式II：
ＣＳＩ−ＲＳリソースインデックス：すべてのＣＳＩ−ＲＳリソース集合内のＣＳＩ−ＲＳリソースは均一にインデックス付けされる。
【００４６】
採用された設定および識別方法に関係なく、ＣＲＩは、本出願の実施形態の以下の説明においてＣＳＩ−ＲＳリソースのインデックスを表すために使用される。リソース集合インデックス＋ＣＳＩ−ＲＳリソースインデックスの方式が採用されている場合、ＣＲＩは（ＲＳＩ、ＣＲＩ）に置き換えることができる。
【００４７】
ステップＳ１０３：基地局は、ビームペアリンク（Ｂｅａｍ Ｐａｉｒ Ｌｉｎｋ，ＢＰＬ）識別子とＣＲＩとの間のマッピング関係を確立する。
【００４８】
ＢＰＬ識別子とＣＲＩとの間のマッピング関係は、ＢＰＬ識別子とＣＲＩとの間のマッピング関係を定義する。ＢＰＬ識別子の数は、予め設定された値であってもよく、または基地局自体によって決定されてもよい。ＢＰＬ識別子の数が基地局によって決定される場合、基地局はシグナリングを通じてその数を端末に通知する必要がある。一般に、ＢＰＬ識別子の数は、ダウンリンク送信ビームの数よりもはるかに少ないである。たとえば、２５６個のダウンリンク送信ビームがある場合、ＢＰＬ識別子の数は４または８である。
【００４９】
ＢＰＬ識別子がマッピングされるＣＲＩは、端末によって報告される測定を通じて基地局によって決定され得、基地局は、端末によって報告される測定結果に従ってマッピングテーブルを作成する。
【００５０】
マッピングテーブル内の各ＢＰＬ識別子は、１つのＣＳＩ−ＲＳリソース（ＣＲＩによって表される）にマッピングされる。異なるＣＳＩ−ＲＳリソースは異なるダウンリンク送信ビームを介して送信されるため、異なるＢＰＬ識別子は異なるダウンリンク送信ビームを表す。
【００５１】
以下の表１に示されるＢＰＬマッピングの例では、表１のＢＰＬ識別子の数は２であり、ＢＰＬ識別子「０」は、送信ビーム（Ｔｘ ｂｅａｍ）０に対応するＣＲＩ０にマッピングされる。また、ＢＰＬ識別子「１」は、送信ビーム１に対応するＣＲＩ１にマッピングされる。
【００５２】
【表１】
2020529802.tif 000009
【００５３】
特定の実施中、本願の実施形態により提供されるビーム情報を指示するための方法において、端末は、基地局により送信されたダウンリンク参考信号を受信し、Ｑ個の参考信号リソースを選択する。
【００５４】
以下は、端末が基地局によって送信される参考信号リソースを選択する方法を例示する。
【００５５】
基地局によって送信された参考信号リソースを受信した後、端末は各参考信号リソースの受信信号を測定し、受信信号の品質を計算し、最高の受信品質のＱ個の参考信号リソース（参照情報リソースが受信品質に応じて高から低にランク付けされた後のＱ個の参照情報リソース）を選択する。受信品質の指標は、ＲＳＲＰまたはＲＳＲＱなどである。
【００５６】
任意選択で、特定の実施中に、Ｑの値は基地局によって決定され、端末に通知されるか、または端末自体によって決定されることができ、これは限定されない。たとえば、端末は、受信信号品質が特定のしきい値よりも大きい独立した実例の数に従ってＱの値を決定できる。
【００５７】
端末は、Ｑ個の参考信号リソースの識別子を基地局にフィードバックする。
【００５８】
例えば、Ｎ ＝ ２５６（Ｎは基地局によって送信されたＣＳＩ−ＲＳリソースの数である）およびＱ ＝ ２（Ｑは端末によって選択されたＣＳＩ−ＲＳリソースの数である）とき、端末は、以下の表２に示すように、端末によって選択された２つのＣＳＩ−ＲＳリソースの識別子、ＣＲＩ、および対応するＲＳＲＰを報告する。
【００５９】
【表２】
2020529802.tif 000010
【００６０】
端末によって報告された情報を受信した後、基地局は、以下の表３に示すようなＢＰＬマッピングテーブルを確立する（ＣＲＩのインデックスがxであり、対応する基地局の送信ビームのインデックスもxであると仮定する）：
【００６１】
【表３】
2020529802.tif 000011
【００６２】
上述の基地局は、端末によって報告された情報を参照してＢＰＬマッピングテーブルを確立し、これは、基地局が、端末によって報告された情報完全に従ってＢＰＬマッピングテーブルを確立しないことを意味する。たとえば、端末が表２に示す内容に従って報告するという条件の下で、基地局は、たとえば、マルチユーザーペアリングの必要性などの事項を考慮して、以下の表３-１に示すように、ＢＰＬ、ＣＲＩ、および送信ビーム間のマッピング関係の表を確立できる。
【００６３】
【表３−１】
2020529802.tif 000012
【００６４】
ステップＳ１０４：基地局は、ＢＰＬ識別子とＣＲＩとの間のマッピング関係のテーブルを端末に送信する。
【００６５】
例えば、ステップＳ１０３に対応する以下の表４は、端末に送信される（送信ビームのインデックス情報は、基地局側にのみ格納され、端末に送信されない場合がある）。
【００６６】
【表４】
2020529802.tif 000013
【００６７】
任意選択で、特定の実施中に、本願の実施形態によって提供されるビーム情報を指示するための方法において、ＢＰＬ識別子とＣＲＩとの間のマッピング関係の上述のテーブルは、高位層のシグナリングを通じて端末によって送信され得る。当該高位層のシグナリングは、たとえば、無線リソース制御（ｒａｄｉｏ Ｒｅｓｏｕｒｃｅ Ｃｏｎｔｒｏｌ，ＲＲＣ）シグナリングまたはメディアアクセス制御（Ｍｅｄｉａ Ａｃｃｅｓｓ Ｃｏｎｔｒｏｌ，ＭＡＣ）層シグナリングである場合がある。
【００６８】
ステップＳ１０５：端末は、基地局によって送信されたＢＰＬとＣＲＩとの間のマッピング関係のテーブルを受信し、最適の受信ビームを決定する。
【００６９】
端末は、ＣＲＩと受信ビームとの間の格納されたマッピング関係に従って、ＢＰＬ識別子と受信ビームとの間のマッピング関係を決定する。
【００７０】
端末は、ＣＲＩと受信ビームとの間の格納されたマッピング関係に従って、ＢＰＬ識別子と受信ビームとの間のマッピング関係を決定する。
【００７１】
例えば、表５に示されるマッピング関係表が確立される。端末が合計８個の受信ビームを持っていると仮定すると、ＣＳＩ−ＲＳリソース２４を受信するのに最適な受信ビームは受信ビーム４であり、ＣＳＩ−ＲＳリソース３７を受信するのに最適な受信ビームは受信ビーム７である。端末は、以下の表５に示すマッピング関係を確立する。ＢＰＬ識別子とＣＲＩの間のマッピング関係は、基地局から端末によって取得される。
【００７２】
【表５】
2020529802.tif 000014
【００７３】
ステップＳ１０６：基地局は、端末のデータまたは制御チャネル送信をスケジュールする。
【００７４】
基地局は、送信に使用される送信ビームを決定し、基地局側に格納されたＢＰＬ識別子と送信ビームとの間のマッピング関係を通して送信ビームに対応するＢＰＬ識別子を決定する。たとえば、表３に示すように、基地局が送信ビーム２４を使用して端末にデータを送信することを決定した場合、対応するＢＰＬ識別子は「０」である。
【００７５】
基地局は、端末に送信される制御情報で（例えばダウンリンク制御シグナリングで）、ＢＰＬ識別子情報を運ぶ。たとえば、上記の例では、ＢＰＬ識別子情報の値は「０」である。
【００７６】
ＢＰＬ識別子情報によって占有されるビットの数は、ＢＰＬ識別子とＣＲＩとの間のマッピング関係におけるＢＰＬの数によって決定される。たとえば、ＢＰＬ識別子の数が２の場合、ＢＰＬ識別子情報フィールドは１ビットを占有する。また、たとえば、ＢＰＬ識別子の数が４の場合、ＢＰＬ識別子情報フィールドは２ビットを占有する。
【００７７】
端末は、基地局によって送信された制御情報のＢＰＬ識別子情報を受信し、ＢＰＬ識別子と受信ビームとの間の格納されたマッピング関係を検索することにより、基地局によって送信されたデータまたは制御チャネルを受信するのに使用されるべき受信ビームを決定する。たとえば、上記の例では、ＢＢＰＬ識別子情報の値は「０」であり、端末は表５を参照して受信ビーム４を受信に使用することを決定する。
【００７８】
上述の方法により、本出願により提供されるビーム情報を指示するための方法において、ＢＰＬとＣＲＩとの間のマッピング関係を確立することにより、ビーム情報を示すプロセス中に占有されるリソースは制限される。ビーム情報の指示プロセスのシステムオーバーヘッドが削減される。
【００７９】
任意選択で、特定の実施中、本出願の実施形態によって提供されるビーム情報を指示するための上述の方法において、ステップＳ１０３で、基地局は、端末から報告された測定結果によらなくても、ＢＰＬ識別子とＣＲＩとの間のマッピング関係も確立することができる。つまり、端末からの報告がある場合でも、基地局は、端末によって選択および報告されるＣＲＩに制限されることなく、ＢＰＬ識別子にマップされたＣＲＩを選択できる。たとえば、上記の例では、端末はＣＲＩ ２４およびＣＲＩ ３７を選択して報告するが、マルチユーザー送信をより適切にサポートするために、基地局は上記の表３-１に示すマッピング関係を確立できる。
【００８０】
したがって、上記のステップＳ１０１およびＳ１０２は、必ず実行する必要があるステップではない。
【００８１】
任意選択で、本願の実施形態によって提供されるビーム情報を指示するための上述の方法において、基地局は、ＢＰＬ識別子とＣＲＩとの間のマッピング関係を更新することを決定することができる。例えば、端末が最新のＣＲＩ情報を報告すると、基地局はＢＰＬ識別子とＣＲＩの間のマッピング関係を更新できる。ＢＰＬ識別子とＣＲＩとの間のマッピング関係が更新された後、基地局は、ＢＰＬ識別子とＣＲＩとの間の更新されたマッピング関係を端末に送信する必要がある。
【００８２】
任意選択で、特定の実施中に、本願の実施形態によって提供されるビーム情報を指示するための上述の方法では、ＢＰＬ識別子とＣＲＩとの間のマッピング関係をさまざまな方式で更新することができる。以下に例を挙げて説明する。
【００８３】
方式Ｉ：完全に更新する。ＢＰＬ識別子とＣＲＩ間のマッピング関係でのすべてのＢＰＬ識別子のマッピング関係が更新される。つまり、マッピングテーブル全体が更新される。マッピング関係が更新された後、基地局は新しいテーブルを端末に送信する。たとえば、表４全体が更新され、更新された表４が端末に送信される。
【００８４】
方式ＩＩ：部分的に更新。ＢＰＬ識別子とＣＲＩの間のマッピング関係では、ＢＰＬ識別子のマッピング関係の一部のみを更新する必要があり、基地局はＢＰＬ識別子の更新されたマッピング関係のみを端末に送信できる。更新メッセージに含まれていないＢＰＬ識別子の場合、基地局と端末は以前のマッピング関係が存在すると想定する。たとえば、表４の最初の行のマッピング関係（ＣＲＩ ２４に対応するＢＰＬ ０）のみが更新される場合、最初の行の更新されたマッピング関係のみが送信され、デフォルトとしては、２行目のマッピング関係（ＢＰＬ １に対応するＣＲＩ ３７）への変更はない。
【００８５】
任意選択で、特定の実施中、本出願の実施形態によって提供されるビーム情報を指示するための上記の方法において、ＢＰＬ識別子とＣＲＩとの間のマッピング関係が端末に送信された後、基地局は、端末が受信ビームを変更せずに変更された送信ビームを正常に受信できる限り、ＢＰＬ識別子にマッピングされた送信ビームを変更する。この場合、ＢＰＬ識別子とＣＲＩの間のマッピング関係は更新されない。つまり、基地局は更新メッセージを端末に送信する必要はない。同様に、端末がＢＰＬ識別子とＣＲＩの間のマッピング関係を受信した後、端末はＢＰＬ識別子にマッピングされた受信ビームも変更できる。
【００８６】
任意選択で、特定の実施中、本願の実施形態によって提供されるビーム情報を指示するための上述の方法において、基地局と端末との間の送受信関係を交換することができ、これは限定されない。上記の例では、基地局が送信端であり、端末が受信端であることも可能である。
【００８７】
結論として、図２を参照すると、送信端において、本願の実施形態によって提供されるビーム情報を示す方法は、以下のステップを含む。
【００８８】
ステップＳ２０１：送信端は、受信端との送信に使用される必要がある第１の送信ビームを決定する。
【００８９】
明確な表現、および他の説明で言及された送信ビームと区別するために、送信端と受信端との間のデータまたはシグナリング送信に使用される送信ビームは、本明細書では第１の送信ビームと呼ばれる。それに対応して、受信端でも同じようになる。
【００９０】
ステップＳ２０２：送信端は、ビームペアリンク（ＢＰＬ）識別子と送信ビームとの間の第１のマッピング関係に基づいて、第１のビームに対応するＢＰＬ識別子を決定する。ここで、受信端にＢＰＬ識別子と受信ビームとの間の第２のマッピング関係がある。
【００９１】
ステップＳ２０３：送信端は前記第１のＢＰＬ識別子を受信端に送信する。
【００９２】
明確な表現のため、および他の説明で言及されたＢＰＬ識別子と区別するために、送信端によって受信端に送信されるＢＰＬ識別子は、本明細書では第１のＢＰＬ識別子と呼ばれる。それに対応して、受信端でも同じようになる。
【００９３】
ステップＳ２０４：送信端は、前記第１の送信ビームを使用して前記受信端に信号を送信する。
【００９４】
任意選択で、特定の実施中、本願の実施形態によって提供されるビーム情報を指示するための上述の方法では、基地局側によって確立されるＢＰＬ識別子、ＣＲＩ、および送信ビーム間のマッピング関係は上記の表１に示すマッピング関係など、第１のマッピング関係と呼ばれる。
【００９５】
任意選択で、特定の実施中、本願の実施形態によって提供されるビーム情報を指示するための上述の方法では、端末側によって確立されたＢＰＬ識別子、ＣＲＩ、および送信ビーム間のマッピング関係、たとえば上記の表５に示すマッピング関係などが、２番目のマッピング関係として参照されてもよい。
【００９６】
任意選択で、本出願の実施形態によって提供される上記ビーム情報を指示するための方法では、前記第１のマッピング関係は、ＢＰＬ識別子、チャネル状態情報-参考信号リソースインジケータ（ＣＲＩ）および送信ビーム間のマッピング関係を含み、
前記第２のマッピング関係は、ＢＰＬ識別子、ＣＲＩおよび受信ビーム間のマッピング関係を含む。
【００９７】
任意選択で、本出願の実施形態によって提供される上記ビーム情報を指示するための方法では、前記送信端は以下の方式によって前記第１のマッピング関係を決定する：
前記送信端は、前記受信端に対して参考信号リソースを設定し、
前記送信端は、前記参考信号リソースにおいて、前記受信による測定および報告のために、前記受信端に参考信号を送信し、
前記送信端は、前記受信端の測定報告端の測定結果に基づいて前記第１のマッピング関係を決定する。
【００９８】
任意選択で、特定の実施中、本願の実施形態によって提供されるビーム情報を指示するための上述の方法において、測定結果は、基地局によって送信される参考信号リソースの品質に従って端末によって選択されるx個の参考信号リソースの識別子である。xは必要に応じて設定できる。たとえば、xは上記の表２に示す測定結果である。
【００９９】
任意選択で、本出願の実施形態によって提供される上記ビーム情報を指示するための方法では、前記送信端は、ＢＰＬ識別子とＣＲＩとの間のマッピング関係（例えば、上記の表４に示されるマッピング関係）を受信端に送信する。その後、マッピング関係の更新が含まれる場合、送信端は、ＢＰＬ識別子とＣＲＩ間の更新されたマッピング関係を受信端に送信することもできる。
【０１００】
それに対応して、図３に示すように、受信端において、本出願は、以下のステップを含むビーム情報を決定するための方法も提供する。
【０１０１】
ステップＳ３０１：受信端は、送信端によって指示された第１のビームペアリンク（ＢＰＬ）識別子を受信する。
【０１０２】
ステップＳ３０２：受信端は、ＢＰＬ識別子と受信ビームとの間の第２のマッピング関係に基づいて、第１のＢＰＬ識別子に対応する第１の受信ビームを決定し、前記送信端にＢＰＬ識別子と送信ビームとの間の第１のマッピング関係がある。
【０１０３】
ステップＳ３０３：前記受信端は、前記第１の受信ビームを使用して前記送信端によって送信された信号を受信する。
【０１０４】
任意選択で、本出願の実施形態によって提供される上記ビーム情報を決定するための方法，前記第１のマッピング関係は、ＢＰＬ識別子、チャネル状態情報-参考信号リソースインジケータ（ＣＲＩ）および送信ビーム間のマッピング関係を含み、
前記第２のマッピング関係は、ＢＰＬ識別子、ＣＲＩおよび受信ビーム間のマッピング関係を含む。
【０１０５】
任意選択で、本出願の実施形態によって提供される上記ビーム情報を決定するための方法では、
前記受信端は、前記送信端によって送信されたＢＰＬ識別子とＣＲＩとの間のマッピング関係を受信する。
【０１０６】
任意選択で、本出願の実施形態によって提供される上記ビーム情報を決定するための方法，前記受信端は、以下の方式によって前記第２のマッピング関係を決定する：
前記受信端は、前記送信端によって送信された参考信号リソース設定情報を受信し、
前記受信端は、前記参考信号リソースにおいて前記送信端によって送信された参考信号を受信し、各参考信号リソースに対応する受信ビームを決定し、ＣＲＩと受信ビームとの間のマッピング関係を決定し、
前記受信端は、前記ＣＲＩと受信ビームとの間のマッピング関係および前記ＢＰＬ識別子とＣＲＩとの間のマッピング関係に基づいて、前記第２のマッピング関係を決定する。
【０１０７】
その後、ＢＰＬ識別子とＣＲＩとの間のマッピング関係の更新が含まれる場合、受信端は、送信端によって送信されたＢＰＬ識別子とＣＲＩとの間の更新されたマッピング関係を受信するステップをさらに含むことができる。ＢＰＬ識別子とＣＲＩ間の更新されたマッピング関係を使用して、ＢＰＬ識別子と受信端のＣＲＩ間のマッピング関係を更新する。
【０１０８】
上述の方法に対応して、本願の実施形態はまた、以下の装置を提供する。
【０１０９】
図４を参照すると、送信端において、本出願の実施形態は、ビーム情報を指示するための装置を提供する。
【０１１０】
当該装置は、
受信端との送信に使用される必要がある第１の送信ビームを決定するように構成された第１のユニット４１と、
ビームペアリンク（ＢＰＬ）識別子と送信ビームとの間の第１のマッピング関係に従って、前記第１の送信ビームに対応する第１のＢＰＬ識別子を決定するように構成された第２のユニット４２と、
前記第１のＢＰＬ識別子を前記受信端に送信するように構成された第３のユニット４３と、
前記第１の送信ビームを使用して前記受信端に信号を送信するように構成された第４のユニット４４とを備える。
【０１１１】
前記受信端にＢＰＬ識別子と受信ビームとの間の第２のマッピング関係がある。
【０１１２】
任意選択で、前記第１のマッピング関係は、ＢＰＬ識別子、チャネル状態情報-参考信号リソースインジケータ（ＣＲＩ）および送信ビーム間のマッピング関係を含み、
前記第２のマッピング関係は、ＢＰＬ識別子、ＣＲＩおよび受信ビーム間のマッピング関係を含む。
【０１１３】
任意選択で、前記第２のユニット４２は、以下の方式によって前記第１のマッピング関係を決定する：
前記受信端に対して参考信号リソースを設定し、
前記参考信号リソースにおいて、前記受信による測定および報告のために、前記受信端に参考信号を送信し、
前記受信端の測定報告端の測定結果に基づいて前記第１のマッピング関係を決定する。
【０１１４】
任意選択で、前記第３のユニット４３はさらに、
ＢＰＬ識別子とＣＲＩとの間のマッピング関係を前記受信端に送信する。
【０１１５】
図５に示されるように、受信端において、本出願の実施形態は、ビーム情報を決定するための装置を提供する。
【０１１６】
当該装置は、
送信端によって指示された第１のビームペアリンク（ＢＰＬ）識別子を受信するように構成された第５のユニット５１と、
ＢＰＬ識別子と受信ビームとの間の第２のマッピング関係に基づいて、前記送信端によって指示されたＢＰＬ識別子に対応する第１の受信ビームを決定するように構成された第６のユニット５２と、
前記第１の受信ビームを使用して前記送信端によって送信された信号を受信するように構成された第７のユニット５３とを備える。
【０１１７】
前記送信端にＢＰＬ識別子と送信ビームとの間の第１のマッピング関係がある。
【０１１８】
任意選択で、前記第１のマッピング関係は、ＢＰＬ識別子、チャネル状態情報-参考信号リソースインジケータ（ＣＲＩ）および送信ビーム間のマッピング関係を含み、
前記第２のマッピング関係は、ＢＰＬ識別子、ＣＲＩおよび受信ビーム間のマッピング関係を含む。
【０１１９】
任意選択で、前記第６のユニットはさらに、
前記送信端によって送信されたＢＰＬ識別子とＣＲＩとの間のマッピング関係を受信する。
【０１２０】
任意選択で、前記第６のユニットは、以下の方式によって前記第２のマッピング関係を決定する：
前記送信端によって送信された参考信号リソース設定情報を受信し、
前記参考信号リソースにおいて前記送信端によって送信された参考信号を受信し、各参考信号リソースに対応する受信ビームを決定し、ＣＲＩと受信ビームとの間のマッピング関係を決定し、
前記ＣＲＩと受信ビームとの間のマッピング関係および前記ＢＰＬ識別子とＣＲＩとの間のマッピング関係に基づいて、前記第２のマッピング関係を決定する。
【０１２１】
図６に示されるように、送信端において、本出願の実施形態は、プロセッサ５００および送受信機５１０を含む、ビーム情報を指示するための装置を提供する。
【０１２２】
プロセッサ５００は、メモリ５２０内のプログラムを読み取り、以下のプロセスを実行するために使用される：
受信端との送信に使用される必要がある第１の送信ビームを決定し、
ビームペアリンク（ＢＰＬ）識別子と送信ビームとの間の第１のマッピング関係に従って、第１の送信ビームに対応する第１のＢＰＬ識別子を決定し、前記受信端にＢＰＬ識別子と受信ビームとの間の第２のマッピング関係があり、
送受信機５１０を通じて、前記第１のＢＰＬ識別子を前記受信端に送信し、
送受信機５１０を通じて、前記第１の送信ビームを使用して前記受信端に信号を送信する。
【０１２３】
任意選択で、前記第１のマッピング関係は、ＢＰＬ識別子、チャネル状態情報-参考信号リソースインジケータ（ＣＲＩ）および送信ビーム間のマッピング関係を含み、
前記第２のマッピング関係は、ＢＰＬ識別子、ＣＲＩおよび受信ビーム間のマッピング関係を含む。
【０１２４】
任意選択で、プロセッサ５００は以下の方式によって前記第１のマッピング関係を決定する：
前記受信端に対して参考信号リソースを設定し、
前記参考信号リソースにおいて、前記受信による測定および報告のために、前記受信端に参考信号を送信し、
前記受信端の測定報告端の測定結果に基づいて前記第１のマッピング関係を決定する。
【０１２５】
任意選択で、前記プロセッサ５００はさらに、
送受信機５１０を通じて、ＢＰＬ識別子とＣＲＩとの間のマッピング関係を前記受信端に送信する。
【０１２６】
送受信機５１０は、プロセッサ５００の制御の下でデータを送受信する。
【０１２７】
ここで、図６において、バスアーキテクチャは、いずれ数の相互接続するバス及びブリッジを備える。具体的に、プロセッサ５００によって表される１つまたは複数のプロセッサ及びメモリ５２０によって表されるメモリの様々な回路をリンクすることにより形成される。バスアーキテクチャは、周辺機器、電圧調整器、電力管理回路などのさまざまな他の回路もリンクでき、さまざまな他の回路は当技術分野で周知であり、したがって、本明細書ではこれ以上説明しない。バスインターフェースはインターフェースを提供する。送受信機５１０は、伝送媒体を介して様々な他のデバイスと通信するためのユニットを提供するために、複数の要素、すなわち、送信機と受信機を含むことができる。プロセッサ５００は、バスアーキテクチャを管理し、通常の処理を実行する役割を果たし、メモリ５２０は、プロセッサ５００が動作を実行するときに使用されるデータを格納することができる。
【０１２８】
プロセッサ５００は、中央処理装置（ＣＰＵ）、特定用途向け集積回路（Ａｐｐｌｉｃａｔｉｏｎ Ｓｐｅｃｉｆｉｃ Ｉｎｔｅｇｒａｔｅｄ Ｃｉｒｃｕｉｔ，ＡＳＩＣ）、フィールドプログラマブルゲートアレイ（Ｆｉｅｌｄ−Ｐｒｏｇｒａｍｍａｂｌｅ Ｇａｔｅ Ａｒｒａｙ，ＦＰＧＡ）、または複合プログラマブルロジックデバイス（ｃｏｍｐｌｅｘ Ｐｒｏｇｒａｍｍａｂｌｅ Ｌｏｇｉｃ Ｄｅｖｉｃｅ，ＣＰＬＤ）であってもよい。
【０１２９】
図７に示されるように、受信端において、本出願の実施形態は、プロセッサ６００および送受信機６１０を含む、ビーム情報を決定するための装置と提供する。
【０１３０】
前記装置では、
プロセッサ６００は、メモリ６２０内のプログラムを読み取り、以下のプロセスを実行するために使用される。
【０１３１】
送受信機６１０を介して送信端によって指示された第１のビームペアリンク（ＢＰＬ）識別子を受信し、
ＢＰＬ識別子と受信ビームとの間の第２のマッピング関係に基づいて、前記第１のＢＰＬ識別子に対応する第１の受信ビームを決定し、前記送信端にＢＰＬ識別子と送信ビームとの間の第１のマッピング関係があり、
送受信機６１０を介して前記第１の受信ビームを使用して前記送信端によって送信された信号を受信する。
【０１３２】
任意選択で、前記第１のマッピング関係は、ＢＰＬ識別子、チャネル状態情報-参考信号リソースインジケータ（ＣＲＩ）および送信ビーム間のマッピング関係を含み、
前記第２のマッピング関係は、ＢＰＬ識別子、ＣＲＩおよび受信ビーム間のマッピング関係を含む。
【０１３３】
任意選択で、前記プロセッサ６００はさらに、
送受信機６１０を介して前記送信端によって送信されたＢＰＬ識別子とＣＲＩとの間のマッピング関係を受信する。
【０１３４】
任意選択で、前記プロセッサ６００は、以下の方式によって前記第２のマッピング関係を決定する：
送受信機６１０を介して前記送信端によって送信された参考信号リソース設定情報；
送受信機６１０を介して前記参考信号リソースにおいて前記送信端によって送信された参考信号を受信し、各参考信号リソースに対応する受信ビームを決定し、ＣＲＩと受信ビームとの間のマッピング関係を決定し、
前記ＣＲＩと受信ビームとの間のマッピング関係および前記ＢＰＬ識別子とＣＲＩとの間のマッピング関係に基づいて、前記第２のマッピング関係を決定する。
【０１３５】
前記送受信機６１０は、プロセッサ６００の制御の下でデータを送受信する。
【０１３６】
ここで、図７において、バスアーキテクチャは、いずれ数の相互接続するバス及びブリッジを備える。具体的に、プロセッサ６００によって表される１つまたは複数のプロセッサ及びメモリ６２０によって表されるメモリの様々な回路をリンクすることにより形成される。バスアーキテクチャは、周辺機器、電圧調整器、電力管理回路などのさまざまな他の回路もリンクでき、さまざまな他の回路は当技術分野で周知であり、したがって、本明細書ではこれ以上説明しない。バスインターフェースはインターフェースを提供する。送受信機６１０は、複数の要素、すなわち送信機および受信機を含み、伝送媒体上の様々な他の装置と通信するユニットを提供することができる。異なるユーザー設備に対し、ユーザーインターフェース６３０は、所望のデバイスを外部および内部で接続することができるインターフェースであり得、接続されたデバイスは、キーパッド、ディスプレイ、スピーカー、マイク、ジョイスティックなどを含むが、これらに限定されない。
【０１３７】
プロセッサ６００は、バスアーキテクチャを管理し、通常の処理を実行する役割を果たし、メモリ６２０は、プロセッサ６００が動作を実行するときに使用されるデータを格納することができる。
【０１３８】
選択可能で、プロセッサ６００は、中央処理装置（ＣＰＵ）、特定用途向け集積回路（Ａｐｐｌｉｃａｔｉｏｎ Ｓｐｅｃｉｆｉｃ Ｉｎｔｅｇｒａｔｅｄ Ｃｉｒｃｕｉｔ，ＡＳＩＣ）、フィールドプログラマブルゲートアレイ（Ｆｉｅｌｄ−Ｐｒｏｇｒａｍｍａｂｌｅ Ｇａｔｅ Ａｒｒａｙ，ＦＰＧＡ）または複合プログラマブルロジック装置（Ｃｏｍｐｌｅｘ Ｐｒｏｇｒａｍｍａｂｌｅ Ｌｏｇｉｃ Ｄｅｖｉｃｅ，ＣＰＬＤ）とすることができる。
【０１３９】
それに対応して、本願の実施形態は、本願の実施形態によって提供されるビーム情報を指示するための上述の装置、および／または本願の実施形態によって提供されるビーム情報を決定するための上述の装置を含む通信システムをさらに提供する。すなわち、本願の実施形態によって提供される通信システム（または通信装置とも呼ばれる）は、ビーム情報を指示するための上記の装置またはビーム情報を決定するための上記の装置の機能の全部または一部を有してもよい。
【０１４０】
同じ技術的思想に基づいて、本出願の実施形態はまた、コンピュータ記憶媒体を提供する。当該コンピュータ記憶媒体は、不揮発性記憶媒体であり、前の実施形態で説明したように、ビーム情報を処理するフローをコンピュータに実行させるためのコンピュータ実行可能命令を格納する。
【０１４１】
結論として、本出願の実施形態によって提供される上記の解決策では、送信端でＢＰＬ識別子と送信ビームとの間の第１のマッピング関係を確立し、それに応じて受信端でＢＰＬ識別子と受信ビームとの間の第２のマッピング関係を確立することにより、ビーム情報の指示の場合、ＢＰＬ識別子の指示のみを必要とし、受信端はＢＰＬ識別子のみに従って対応する受信ビームを決定できるため、ビーム情報の指示プロセス中のシステムオーバーヘッドを削減できる。
【０１４２】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがわかるはずである。さらに、本発明は、一つ或いは複数のコンピュータプログラム製品の形式を採用できる。また、当該製品はコンピュータ使用可能なプログラムコードを含むコンピュータ使用可能な記憶媒体（ディスク記憶装置と光学記憶装置等を含むがそれとは限らない）において実施する。
【０１４３】
以上は本発明の実施形態の方法、装置（システム）、およびコンピュータプログラム製品のフロー図および／またはブロック図によって、本発明を記述した。理解すべきことは、コンピュータプログラム命令によって、フロー図および／またはブロック図における各フローおよび／またはブロックと、フロー図および／またはブロック図におけるフローおよび／またはブロックの結合を実現できる。プロセッサはこれらのコンピュータプログラム命令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム命令を実行し、フロー図における一つ或いは複数のフローおよび／またはブロック図における一つ或いは複数のブロックに指定する機能を実現する。
【０１４４】
これらのコンピュータプログラム命令は又、また、コンピュータ或いは他のプログラム可能なデータ処理装置を特定方式で動作させるコンピュータ読取記憶装置に記憶できる。これによって、命令を含む装置は当該コンピュータ読取記憶装置内の命令を実行でき、フロー図における一つ或いは複数のフローおよび／またはブロック図における一つ或いは複数のブロックに指定する機能を実現する。
【０１４５】
これらコンピュータプログラム命令はさらに、コンピュータ或いは他のプログラム可能なデータ処理装置設備に実装もできる。コンピュータプログラム命令が実装されたコンピュータ或いは他のプログラム可能設備は、一連の操作ステップを実行することによって、関連の処理を実現し、コンピュータ或いは他のプログラム可能な設備において実行される命令によって、フロー図における一つ或いは複数のフローおよび／またはブロック図における一つ或いは複数のブロックに指定する機能を実現する。
【０１４６】
上述した実施形態に記述された技術的な解決手段を改造し、或いはその中の一部の技術要素を置換することもできる。そのような、改造と置換は本発明の各実施形態の技術の範囲から逸脱するとは見なされない。
【０１４７】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【０１４８】
４１  第１のユニット
４２  第２のユニット
４３  第３のユニット
４４  第４のユニット
５１  第５のユニット
５２  第６のユニット
５３  第７のユニット
５００  プロセッサ
５１０  送受信機
５２０  メモリ
６００  プロセッサ
６１０  送受信機
６２０  メモリ
６３０  ユーザーインターフェース
【図１】
2020529802.tif 000015
【図２】
2020529802.tif 000016
【図３】
2020529802.tif 000017
【図４】
2020529802.tif 000018
【図５】
2020529802.tif 000019
【図６】
2020529802.tif 000020
【図７】
2020529802.tif 000021
【手続補正書】
【提出日】令和2年2月14日(2020.2.14)
【手続補正１】
【補正対象書類名】特許請求の範囲
【補正対象項目名】全文
【補正方法】変更
【補正の内容】
【特許請求の範囲】
【請求項１】
送信端は、受信端との送信に使用される必要がある第１の送信ビームを決定するステップと、
前記送信端は、ビームペアリンク（ＢＰＬ）識別子と送信ビームとの間の第１のマッピング関係に基づいて、前記第１の送信ビームに対応する第１のＢＰＬ識別子を決定するステップと、
前記送信端は、前記第１のＢＰＬ識別子を前記受信端に送信するステップと、
前記送信端は、前記第１の送信ビームを使用して前記受信端に信号を送信するステップと
を備え、
前記受信端にＢＰＬ識別子と受信ビームとの間の第２のマッピング関係があることを特徴とするビーム情報を指示するための方法。
【請求項２】
前記第１のマッピング関係は、ＢＰＬ識別子、チャネル状態情報−参考信号リソースインジケータ（ＣＲＩ）および送信ビーム間のマッピング関係を含み、
前記第２のマッピング関係は、ＢＰＬ識別子、ＣＲＩおよび受信ビーム間のマッピング関係を含むことを特徴とする請求項１に記載のビーム情報を指示するための方法。
【請求項３】
前記送信端は、
前記送信端が、前記受信端に対して参考信号リソースを設定し、
前記送信端が、前記参考信号リソースにおいて、前記受信による測定および報告のために、前記受信端に参考信号を送信し、
前記送信端が、前記受信端の測定報告端の測定結果に基づいて前記第１のマッピング関係を決定する
ことによって前記第１のマッピング関係を決定することを特徴とする請求項２に記載のビーム情報を指示するための方法。
【請求項４】
前記送信端は、ＢＰＬ識別子とＣＲＩとの間のマッピング関係を前記受信端に送信することを特徴とする請求項２に記載のビーム情報を指示するための方法。
【請求項５】
受信端は、送信端によって指示された第１のビームペアリンク（ＢＰＬ）識別子を受信するステップと、
前記受信端は、ＢＰＬ識別子と受信ビームとの間の第２のマッピング関係に基づいて、第１のＢＰＬ識別子に対応する第１の受信ビームを決定するステップと、
前記受信端は、前記第１の受信ビームを使用して前記送信端によって送信された信号を受信するステップと
を備え、
前記送信端にＢＰＬ識別子と送信ビームとの間の第１のマッピング関係があることを特徴とするビーム情報を決定するための方法。
【請求項６】
前記第１のマッピング関係は、ＢＰＬ識別子、チャネル状態情報−参考信号リソースインジケータ（ＣＲＩ）および送信ビーム間のマッピング関係を含み、
前記第２のマッピング関係は、ＢＰＬ識別子、ＣＲＩおよび受信ビーム間のマッピング関係を含む
ことを特徴とする請求項５に記載のビーム情報を決定するための方法。
【請求項７】
前記受信端は、前記送信端によって送信されたＢＰＬ識別子とＣＲＩとの間のマッピング関係を受信することを特徴とする請求項６に記載のビーム情報を決定するための方法。
【請求項８】
前記受信端は、
前記受信端が、前記送信端によって送信された参考信号リソース設定情報を受信し、
前記受信端が、参考信号リソースにおいて前記送信端によって送信された参考信号を受信し、各参考信号リソースに対応する受信ビームを決定し、ＣＲＩと受信ビームとの間のマッピング関係を決定し、
前記受信端が、前記ＣＲＩと受信ビームとの間のマッピング関係および前記ＢＰＬ識別子とＣＲＩとの間のマッピング関係に基づいて、前記第２のマッピング関係を決定する
ことによって前記第２のマッピング関係を決定することを特徴とする請求項７に記載のビーム情報を決定するための方法。
【請求項９】
受信端との送信に使用される必要がある第１の送信ビームを決定するように構成された第１のユニットと、
ビームペアリンク（ＢＰＬ）識別子と送信ビームとの間の第１のマッピング関係に従って、前記第１の送信ビームに対応するＢＰＬ識別子を決定するように構成された第２のユニットと、
第１のＢＰＬ識別子を前記受信端に送信するように構成された第３のユニットと、
前記第１の送信ビームを使用して前記受信端に信号を送信するように構成された第４のユニットと
を備え、
前記受信端にＢＰＬ識別子と受信ビームとの間の第２のマッピング関係があることを特徴とするビーム情報を指示するための装置。
【請求項１０】
前記第１のマッピング関係は、ＢＰＬ識別子、チャネル状態情報−参考信号リソースインジケータ（ＣＲＩ）および送信ビーム間のマッピング関係を含み、
前記第２のマッピング関係は、ＢＰＬ識別子、ＣＲＩおよび受信ビーム間のマッピング関係を含む
ことを特徴とする請求項９に記載のビーム情報を指示するための装置。
【請求項１１】
前記第２のユニットは、
前記受信端に対して参考信号リソースを設定し、
前記参考信号リソースにおいて、前記受信による測定および報告のために、前記受信端に参考信号を送信し、
前記受信端の測定報告端の測定結果に基づいて前記第１のマッピング関係を決定する
ことによって前記第１のマッピング関係を決定することを特徴とする請求項１０に記載のビーム情報を指示するための装置。
【請求項１２】
送信端によって指示された第１のビームペアリンク（ＢＰＬ）識別子を受信するように構成された第５のユニットと、
ＢＰＬ識別子と受信ビームとの間の第２のマッピング関係に基づいて、第１のＢＰＬ識別子に対応する第１の受信ビームを決定するように構成された第６のユニットと、
前記第１の受信ビームを使用して前記送信端によって送信された信号を受信するように構成された第７のユニットと
を備え、
前記送信端にＢＰＬ識別子と送信ビームとの間の第１のマッピング関係があることを特徴とするビーム情報を決定するための装置。
【請求項１３】
前記第１のマッピング関係は、ＢＰＬ識別子、チャネル状態情報−参考信号リソースインジケータ（ＣＲＩ）および送信ビーム間のマッピング関係を含み、
前記第２のマッピング関係は、ＢＰＬ識別子、ＣＲＩおよび受信ビーム間のマッピング関係を含む
ことを特徴とする請求項１２に記載のビーム情報を決定するための装置。
【請求項１４】
コンピュータが実行することにより、請求項５に記載の方法である以下の動作：
受信端が、送信端によって指示された第１のビームペアリンク（ＢＰＬ）識別子を受信し、
前記受信端が、ＢＰＬ識別子と受信ビームとの間の第２のマッピング関係に基づいて、前記第１のＢＰＬ識別子に対応する第１の受信ビームを決定し、
前記受信端が、前記第１の受信ビームを使用して前記送信端によって送信された信号を受信し、
前記送信端にＢＰＬ識別子と送信ビームとの間の第１のマッピング関係がある
ように実施する、コンピュータ実行可能命令を格納することを特徴とするコンピュータ可読記憶媒体。
【国際調査報告】
2020529802.tif 000022
2020529802.tif 000023
2020529802.tif 000024
2020529802.tif 000025